(57)【特許請求の範囲】
【請求項１】
耕作地に沿って配置されるようになっており、耕作地に対して用水を給排水する給排水枡と、この給排水枡内に用水を流入させる用水流入管が弁によって開閉されるようになった用水流入部と、給排水枡内に設けられており、耕作地に供給される用水が所定の水位になるように調整すると共に、耕作地から給排水枡内に流入する余剰水を排水する水位調整管を有する水位調整部とを備える用水給排水ユニットにおいて、給排水枡内が仕切板により上下に区分され、この区分された上部域に面して給排水枡に給排水口が設けられていると共に、この上部域内に用水流入部と水位調整管とが設けられ、さらに区分された下部域に流出口が設けられてなり、給排水枡の前記上部域内に給排水口から流入する耕作地の余剰水を水位調整管上部より越流させ、排水させるようにしたことを特徴とする耕作地の用水給排水制御ユニット。
【請求項２】
耕作地に対して用水を給排水する給排水口を有する給排水枡と、この給排水枡内に用水を流入させる開閉可能の用水弁を有する用水流入部と、前記給排水枡内に設けられ耕作地に供給される用水が所定の水位になるように、耕作地から該給排水枡内に流入する余剰水を排水する排水口の上下位置が調整できる水位調整管を有する水位調整部とを備える用水給排水ユニットにおいて、前記給排水枡内が仕切板により上下に区分され、この区分された上部域に前記給排水口が設けられていると共に、この上部域内に前記用水流入部と水位調整部とが設けられ、さらに区分された下部域に前記余剰水を排水する流出口が設けられることを特徴とする耕作地の用水給排水制御ユニット。
【請求項３】
給排水枡の外形が、円筒形状である請求項１又は２に記載された耕作地の用水給排水制御ユニット。
【請求項４】
前記水位調整管は、前記仕切板に一端が固定された蛇腹管から形成され、前記蛇腹管を伸縮して前記排水口の位置が上下方向に調整可能であることを特徴とする請求項１〜３のいずれか１項に記載された耕作地の用水給排水制御ユニット。
【請求項５】
前記給排水枡の上部域に、地下灌漑接続管が接続されることを特徴とする請求項１〜４のいずれか１項に記載された耕作地の用水給排水制御ユニット。
【発明の詳細な説明】
【０００１】
【発明の属する技術分野】
本発明は、水田等の耕作地に供給される用水の水位調整に使用される用水の給排水制御ユニットに関するものである。
【０００２】
【従来の技術】
水源から用水を引き入れて灌漑される水田等の耕作地では、用水を一定の水位に管理することが、稲の生育等において重要となる。このために、従来、種々の給排水制御ユニットが開発されている。例えば、特開平１１−２８９８９０号に開示されているような給排水制御ユニットである。
【０００３】
前記した従来の耕作地の給排水制御ユニット２５は、図１１〜１３に示すように、用水を給排水口２６ｂを介して耕作地に給排水する給排水枡２６と、給排水枡２６内に用水を流入させる流入管２７ａを有し、この流入管２７ａが弁２７ｂによって開閉されるようになった用水流入部２７と、耕作地に供給される用水が所定の水位になるように、耕作地から流入する余剰の用水を給排水枡２６内に給排水口２６ｂを介して給排水枡２６の内部より排出する水位調整部２９とを備えたものである。２８は流入管、３０は排出管である。２９ａは水位調整管であり、水位調整管２９ａを上下動させることによって、耕作地における水位を調整できるようになっている。
【０００４】
前記した従来の耕作地の給排水制御ユニット２５では、給排水枡２６の内部が、用水流入部２７が配設される区域と、水位調整部２９が配設される区域とに左右方向に沿って区分されているのが一般的である。用水流入部２７と水位調整部２９とが給排水枡２６の区分された区域内にそれぞれ別々に設けられている。
【０００５】
【発明が解決しようとする課題】
このように従来の給排水制御ユニット２５では、給排水枡２６内に用水流入部２７と水位調整部２９とが左右に区分された域内にそれぞれ設けられているため、給排水制御ユニット２５はその給排水枡２６の外形を直方体形状に形成して、その全体形状のコンパクト化が図られている。
【０００６】
この給排水制御ユニット２５において、用水流入部２７から流入した用水は一旦給排水枡２６の内部で還流して後、水位調整部２９を介して給排水枡２６の内部から排出管３０を介して外部へと排水される。このため、流入水が耕作地に供給されるまでに給排水枡２６の内部の全体を一旦還流することになるから、耕作地に至るまでに相当な長時間を要し、しかも、耕作地からの余剰水が、給排水枡２６の内部で留まる水量の割合が多くなってしまう。このため、耕作地における水の交換を迅速かつ十分に図ることは難しい。
【０００７】
さらに、給排水枡２６の外形状が直方体形状のものであるため、給排水制御ユニット２５の床面積が大きくなってしまうので、耕作地に埋設して安定した状態で施工するのが難しくなり、設置場所の掘削と埋戻しなど、その施工時の作業が大掛かりなものとなる。しかも、給排水枡２６の外形状が直方体形状のものであると、水平土圧作用により受ける抵抗が大きくなるので、設置後の安定性が低下する。
【０００８】
そこで、本発明は、耕作地における用水の交換を効率的に行うことができると共に、設置時の施工が容易で、小型かつ軽量でコンパクトな形態で構成できる耕作地の用水給排水制御ユニットを提供すること、さらに、設置場所における水平土圧作用に対する抵抗を低くし、設置後の安定性を高めることができる耕作地の用水給排水制御ユニットを提供することを目的とした。
【０００９】
【課題を解決するための手段】
前記した目的を達成するため、本発明の耕作地の用水給排水制御ユニットは、耕作地に沿って配置されるようになっており、耕作地に対して用水を給排水する給排水枡と、この給排水枡内に用水を流入させる用水流入管が弁によって開閉されるようになった用水流入部と、給排水枡内に設けられており、耕作地に供給される用水が所定の水位になるように調整すると共に、耕作地から給排水枡内に流入する余剰水を排水する水位調整管を有する水位調整部とを備える用水給排水ユニットにおいて、給排水枡内が仕切板により上下に区分され、この区分された上部域に面して給排水枡に給排水口が設けられていると共に、この上部域内に用水流入部と水位調整管とが設けられ、さらに区分された下部域に流出口が設けられてなり、給排水枡の前記上部域内に給排水口から流入する耕作地の余剰水を水位調整管上部より越流させ、排水させるようにしたことを特徴とする。
【００１０】
また、本発明に係る他の耕作地の用水給排水制御ユニットは、耕作地に対して用水を給排水する給排水口を有する給排水枡と、この給排水枡内に用水を流入させる開閉可能の用水弁を有する用水流入部と、給排水枡内に設けられ耕作地に供給される用水が所定の水位になるように、耕作地から該給排水枡内に流入する余剰水を排水する排水口の上下位置が調整できる水位調整管を有する水位調整部とを備える用水給排水ユニットにおいて、給排水枡内が仕切板により上下に区分され、この区分された上部域に給排水口が設けられていると共に、この上部域内に用水流入部と水位調整管とが設けられ、さらに区分された下部域に余剰水を排水する流出口が設けられることを特徴とする。
【００１１】
前記した本発明の耕作地の用水給排水制御ユニットは、給排水枡内が仕切板により上下に区分され、この区分された上部域に面して給排水枡に給排水口が設けられていると共に、この上部域内に用水流入部と水位調整管とが設けられてなるから、用水流入部からの流入水は給排水枡内から給排水口を介して棚田などの耕作地に流入させることができる。従って、流入水を速やかに耕作地に行き渡らせることができる。
【００１２】
耕作地の余剰水は、同じく給排水口を介して給排水枡内で水位調整管を越流して、給排水枡の下部域に設けられた流出口から排水することができる。この際、耕作地の余剰水の水位は、水位調整部の水位調整管で調整された上下位置に応じて設定される。
【００１３】
このように構成される耕作地の用水給排水制御ユニットは、耕作地に沿って耕作区毎に配置される。従って、各用水給排水制御ユニットにより、水源からの用水を耕作地に供給し、その用水により複数の耕作区について、所定の水位がそれぞれ保たれるように個別に制御することができる。また、このユニットの給排水枡の外形状については、特に円筒形状としたものが好ましい。なお、給排水枡の外形は、上部域と下部域とを備えるものであれば、角筒形状でもよい。
【００１４】
本発明の耕作地の用水給排水制御ユニットの好ましい具体的な態様としては、前記水位調整管は仕切板に一端が固定された蛇腹管から形成され、蛇腹管を伸縮して排水口の位置が上下方向に調整可能であることを特徴とする。この構成によれば、水位調整管は伸縮自在の蛇腹管から形成されるため、排水口又は上端開放部の位置を自由に調整でき、防水パッキング等の部品を省略でき構成が簡単となる。また、調整幅が大きくなり、調整操作も容易となる。
【００１５】
また、本発明の耕作地の用水給排水制御ユニットの好ましい具体的な他の態様としては、前記給排水枡の上部域に、地下灌漑接続管が接続されることを特徴とする。この構成によれば、水田等の耕作地に供給される用水の水位調整が行えると共に、畑地等の地中に用水を灌漑することができ、水田等の地表灌漑と畑地等の地下灌漑とを切り替えて水位を調整することができる。
【００１６】
【発明の実施の形態】
次に本発明に係る耕作地の用水給排水制御ユニットについて、実施の形態を図に基づいて説明する。実施の形態の耕作地の用水給排水制御ユニット１を、図１〜図３に示した。用水給排水制御ユニット１は、給排水枡２、用水流入部５、水位調整部１０等からなる。
【００１７】
給排水枡２は、外形が円筒形状をなし、また、その内部が仕切板４によって、上部域２ａと下部域２ｂとに区分されている。給排水枡２の上部域２ａに面する周壁の位置には、給排水口３が形成されている。
仕切板４の上下面には、給排水枡２の上部域２ａと下部域２ｂとを連絡する連結部４ａと連結部４ｂがそれぞれ設けられている。上部連結部４ａは、仕切板４の貫通孔４ｃによって下部連結部４ｂと連絡している。
【００１８】
給排水枡２の内部には、仕切板４の上部に用水流入部５が設けられている。用水流入部５は、用水流入管５ａからなり、用水流入管５ａには、その管内を開閉できる用水弁５ｂと、用水弁５ｂを開閉操作するための操作部５ｃとが設けられている。そして、用水流入管５ａの側面には、用水を流入させる用水口５ｅが形成されている。従って、用水弁５ｂを図示のように上端に位置させることにより開弁操作し、用水弁５ｂを下端に位置させることにより用水を遮断する閉弁操作することができる。用水流入管５ａはその下端部が上部連結部４ａに連結されることによって、仕切板４の面上に垂設されている。操作部５ｃは、上端のハンドルを押圧して上下方向に直動させるものや、軸部にねじを形成し、上端のハンドルを回して上下動させるもの等、適宜の機構を用いることができる。
【００１９】
下部連結部４ｂには連絡管６が連結され、連絡管６からエルボ管７を介して給排水枡２の外部に配設された流入口８と連結されている。従って、用水弁５ｂを開放することにより、水源からの用水を流入口８から用水口５ｅを通して給排水枡２内に流入させることができる。
【００２０】
仕切板４には、用水流入管５ａに隣接して水位調整部１０の水位調整管１０ａが設けられている。水位調整管１０ａは、その下端が仕切板４の貫通部に設けた立上部４ｄ内に挿設され、この挿設部分が液密となるように固定ゴム環１２ａが設けられている。さらに固定ゴム環１２ａの周囲はバンド１２ｂによって固定されている。従って、水位調整管１０ａはその挿設部分の液密状態を保って上下動させることが可能である。水位調整部１０では、水位調整管１０ａの上端開放部の位置を、上部に設けられている取手１０ｂを介して上下方向に沿って移動させて調整できるようになっている。従って、水位調整管１０ａの上端開放部の位置に応じて、給排水枡２内の用水の水位を調整することができる。なお、水位調整管１０ａの側面に余剰水を排水する排水口を形成してもよい。
水位調整管１０ａに流入してきた用水は、給排水枡２の下部域２ｂに設けられている流路１３を介して流出口１４から外部へ排水される。９は、用水流入管５ａ及び水位調整管１０ａを給排水枡２の内部で固定している固定バンドである。
【００２１】
用水給排水制御ユニット１では、図３に示すように、流出口１４が流入管８に沿った向きとなるように設けられているが、図４に示す用水給排水制御ユニット１５のように、流出口１４が流入管８に対して直交する向きとなるように構成することもできる。用水給排水制御ユニット１５における、給排水枡２、用水流入部５、水位調整部１０等の各構成部については、用水給排水制御ユニット１と同じである。
【００２２】
このように、本発明に係る用水給排水制御ユニット１や、用水給排水制御ユニット１５は、給排水枡２の内部が上下域２ａ、２ｂに区分して構成され、用水を上部域２ａに限定して還流するようにしているから、給排水口３から用水を速やかに耕作区に供給できると共に、耕作区の余剰水を速やかに排水することができる。また、用水給排水制御ユニット１、１５の全体を、例えば、外形を３００ｍｍφ×１．１７ｍのようなコンパクトで、４０ｋｇ程度の軽量のものとして製作することができる。
【００２３】
用水給排水制御ユニット１や用水給排水制御ユニット１５は、単一の耕作区あるいは隣接する複数の耕作区に沿って順に配設することができる。図５には、用水給排水制御ユニット１５を隣接する複数の水田の耕作区１６に沿って順に配設した場合の例を示した。この場合、各用水給排水制御ユニット１５の流入管８は、水源１７に通じる用水パイプライン１８にそれぞれ連絡されている。
【００２４】
用水パイプライン１８には、その入側に制水弁１９、その出側に制水弁２０が設けられている。制水弁１９で流入量を調節することにより、水源１７からの用水の供給量を制限することができ、また、制水弁２０で流出量を調節することにより、供給した過剰量の用水を直接河川２３に放流することができる。
【００２５】
各用水給排水制御ユニット１５の流出口１４は、排水パイプライン２１にそれぞれ連絡され、排水パイプライン２１は最終的に河川２３に至るようになっている。排水パイプライン２１の途中に複数の点検管理孔２２が設けられており、排水パイプライン２１の内部を適時に点検できるようになっている。水位調整部１０の取手１０ｂを上下させて垂直位置を調整することにより、給排水枡２の上部域２ａ内に給排水口３から流入する耕作地の余剰水を水位調整管１０ａの上部より越流させ、排水パイプライン２１に排水して耕作区１６の水位を調整することができる。
【００２６】
用水パイプライン１８及び排水パイプライン２１と共に、用水給排水制御ユニット１５の下部部分が土中に埋設された状態で設置される。この場合、用水給排水制御ユニット１５は、給排水枡２の給排水口３が耕作区１６の水面位置の範囲に及ぶように設置される。
【００２７】
このように土中に埋設して設置するのに際して、本発明の用水給排水制御ユニット１や用水給排水制御ユニット１５は、前記したように、コンパクトかつ軽量なものとして得ることができるので、土中に埋設して施工するのが容易である。しかも、給排水枡２の外形状が円筒形であり、杭と同様の構造であることから、地面の掘削及び埋戻し等の施工性がさらに容易になるのに加えて、設置後における水平土圧作用に対する抵抗を一層低めることができる。
【００２８】
つぎに、本発明の他の実施形態を図６〜図１０を参照して説明する。この実施形態で示す用水給排水制御ユニット３５は、前記した実施形態に対し、水位調整管が伸縮可能な蛇腹管３６である点と、給排水枡２の上部域２ａの底部に地下灌漑接続管３７が連結されている点で構成が異なっている。そして、他の実質的に同等の構成については同じ符号を付して詳細な説明は省略する。
【００２９】
図６〜図９において、用水給排水制御ユニット３５は、給排水枡２内が仕切板４により上下に区分され、この区分された上部域２ａに給排水枡２に給排水口３が設けられていると共に、この上部域内に用水流入部５と水位調整部１０として蛇腹管３６から構成される水位調整管とが設けられ、さらに区分された下部域２ｂに流出口１４が設けられてなり、給排水枡２の上部域２ａ内に給排水口３から流入する耕作地の余剰水を蛇腹管３６の上端開放部の排水口より越流させ、排水させるように構成されている。
【００３０】
また、用水流入管５ａには、その管内を上下する用水弁５ｂと、用水弁５ｂを開閉操作するためのねじ軸を備える操作部５ｄとが設けられ、用水流入管５ａの側面には用水口５ｅが形成されている。用水流入管５ａは、上部連絡管６ａにより仕切板４の上部連結部４ａに接続されている。仕切板４の下部連結部４ｂには下部連絡管６ｂが連結され、下部連絡管６ｂからエルボ管７を介して給排水枡２の外部に配設された流入口８と連結されている。
【００３１】
蛇腹管３６は合成樹脂の薄板から形成され、大径の凸部と小径の凹部とが円錐面の一部からなる傾斜面で連続して形成されている。伸長時には多数の凸部同士は所定のピッチを有しているが、上端の取手３６ａを押圧することにより所定のピッチ部分が密着して収縮し、この収縮状態が保持される構成となっている。また、取手３６ａを引き上げることにより、密着されて収縮した部分は引き上げられて所定のピッチに戻り、この収縮状態も保持されて自由に伸縮できると共に、その位置で固定される構成である。
【００３２】
そして、蛇腹管３６から形成される水位調整管の下端は仕切板４を貫通する立上部４ｄ内に固定され、上端の取手３６ａを手で上下させることにより自由に伸縮して任意の位置に自立して保持され、上下方向の長さを調整できるものであり、上端開放部の排水口の位置が上下方向に調整可能である。このため、前記した実施形態のように、水位調整管１０ａを液密状態を保って上下動する固定ゴム環１２ａやバンド１２ｂが不要となって構成が簡単となる。また、固定ゴム環１２ａと水位調整管１０ａとの間に異物が挟まって動作が不安定となることがなく、水位調整が容易に行える。さらに、仕切板４により上部域２ａと下部域２ｂに区分された給排水枡２は、上部域２ａの底部に地下灌漑接続管３７が接続されている。地下灌漑接続管３７は、用水流入部５より給排水枡２に流入された用水を地下灌漑用に排出するものである。
【００３３】
この実施形態の用水給排水制御ユニット３５は、単一の耕作区や図１０に示すような複数の耕作区１６に沿って複数が配設される。複数の用水給排水制御ユニット３５…は、前記の実施形態と同様に流入管８が水源１７に通じる用水パイプライン１８にそれぞれ連絡されている。また、各用水給排水制御ユニット３５の流出口１４は、排水パイプライン２１にそれぞれ連絡され、排水パイプライン２１は最終的に河川２３に至るようになっている。排水パイプライン２１の途中に複数の点検管理孔２２が設けられており、排水パイプライン２１の内部を適時に点検できるようになっている。
【００３４】
地下灌漑接続管３７は、止水バルブ３８や継手等を介して水田の下方の地中に埋設された地下散水管３９に接続される。また、地下灌漑接続管３７は途中に水甲バルブ４０を備える排水管４１に接続され、排水管４１は排水パイプライン２１に接続される。地下散水管３９は多数の散水孔を有するものであり、水田を畑地として利用するときのために耕作区１６の地中に埋設される。
【００３５】
この実施形態の用水給排水制御ユニット３５を用いて、耕作区１６を水田として地表灌漑を行うときは、水源１７側の制水弁１９を開き、止水バルブ３８を閉じた状態で操作部５ｄの上部のハンドルを回して用水流入部５の用水弁５ｂを上端に位置させて開くと、流入管８を通して水源１７の水が用水口５ｅから給排水枡２内に流入し、上部域２ａは用水が充満し給排水口３から水田の耕作区１６に流入する。そして、耕作区１６の水位が上昇して蛇腹管３６の上端開放部の排水口より上になると、余剰水が排水口に流入して排水され、この排水は流出口１４を通して排水パイプライン２１に流入して河川２３に排水される。蛇腹管３６の取手３６ａを上下させることにより上端開放部の位置を調整でき、耕作区１６内の水位を任意に調整できる。
【００３６】
この水位の調整は取手３６ａを操作して蛇腹管３６を伸縮させるだけの操作であり、動作が安定しており円滑に調整でき、調整範囲Ｓ（図９参照）を大きく取れる。すなわち、前記の用水給排水制御ユニット１，１５の場合、水位調整管１０ａは下端がエルボ管７に当接して調整範囲の下限が決まるため調整範囲が小さくなるが、この実施形態の用水給排水制御ユニット３５の場合は蛇腹管３６が伸縮する構成のため調整範囲を大きく設定できる。
【００３７】
耕作区１６を畑地として使用する場合、用水給排水制御ユニット３５を用いて畑地の地下灌漑を行うことができる。この場合は、制水弁１９を開き、止水バルブ３８を開いた状態で用水流入部５を開くと、水源１７からの水は用水弁５ｂの用水口５ｅから給排水枡２内に流入し、底部の地下灌漑接続管３７を通して地下散水管３９に流入し、地中に浸透する。途中の止水バルブ３８の開度を調整することにより、地中への浸透量を調整でき地下水位を調整できる。
【００３８】
地下水位は、作物に合わせて、２０〜５０ｃｍ程度に設定される。例えば、キュウリやサトイモ等の場合は２０ｃｍ程度が好ましく、カボチャやナス、トマトの場合は３０〜４０ｃｍが適当で、ほうれん草やニンジン、スイカの場合は５０ｃｍ程度の深さが好ましい。このように、止水バルブ３８を開いて、その開度を調整するだけの容易な操作のみで水田への地表灌漑から畑地への地下灌漑へ切り替えることができ、地下水位も調整することができる。
【００３９】
また、制水弁１９の通水量を多量に調整すると共に、止水バルブ３８の通水量を小さく調整することにより、地下灌漑接続管３７からの地下灌漑と、給排水口３からの地表灌漑を同時に行うこともできる。すなわち、止水バルブ３８の通水量を小さくすることにより給排水枡２内に用水が充満し、給排水口３から耕作区１６に用水が流入し、地下灌漑と地表灌漑を行うことができる。さらに、地表灌漑や地下灌漑を行わないときは用水流入管５ａ内の用水弁５ｂを下端に移動して用水流入部５を閉弁し、流入管８からの用水の流入を行わないようにする。水田を畑地として利用し地下水位が高い場合は、水甲バルブ４０を開放することにより、多数の散水孔を有する地下散水管３９から地中の水を集水して排水することができ、地下水位を適正に保持することができる。
【００４０】
地下灌漑は、毛管上昇によって種子に最適な水分が供給されるため発芽・苗立ちが安定し、土壌の団粒構造を壊さずに灌水でき、播種時や定植時に種子や苗が流されるのを防止できる。また、作物に水がかからずに灌漑できるため病気が少なくなる。さらに、地表面が乾いたまま灌水できるため、作業が容易となり湿害の発生を防ぐことができる。
【００４１】
この用水給排水制御ユニット３５は、前記した実施形態の用水給排水制御ユニットと同様にコンパクトかつ軽量なものであり、搬送等が容易であると共に、土中への埋設が容易に行える。また、外形状が円筒形状であり、地面の掘削や埋め戻し等が容易に行え、設置後の水平土圧作用に対する抵抗を低めることができる。このため、耕作地に沿って配置しても移動することがなく、傾く等の不具合を防止できる。
【００４２】
なお、この実施形態の用水給排水制御ユニット３５も、図４に示す用水給排水制御ユニット１５のように、流出口１４が流入管８に対して直交する向きとなるように構成してもよい。用水弁５ｂの操作部５ｄは、ねじ軸から形成され、上端のハンドルを回して用水弁５ｂを上下させるものに限らず、ねじ軸が形成されず上端のハンドルを押し込んで上下方向に直動させるものでもよい。
【００４３】
【発明の効果】
上述したように本発明の用水給排水制御ユニットは構成されるので、次のような効果が発揮される。本発明の用水給排水制御ユニットによれば、コンパクトかつ軽量な用水給排水制御ユニットを経済的に得ることができると共に、耕作地への用水の給排水を速やかに実行できるので、その給排水制御をより機能的に発揮させることができる。
【００４４】
このように得られる用水給排水制御ユニットがコンパクトかつ軽量であるから、施工性も高い。また、特に、用水給排水制御ユニットを形成する給排水枡の外形が円筒形状のものとする場合には、杭と同様の構造であることから、地面の掘削や埋戻し等の施工性をより高めることができると共に、設置後の水平土圧に対する抵抗性を高くし、より安定した状態で設置することができる。
【００４５】
水位調整部を蛇腹管で形成すると構成が簡単となり、調整幅を大きくすることができ、水位調整動作は安定して円滑に行える。給排水枡の上部域に地下灌漑接続管を接続すると、水田等に用水を給排水する地表灌漑の他に、畑地等の地下灌漑をすることができ、発芽率を向上でき収量のアップが可能となり、田畑輪環による連作障害を回避することができる。また、地表灌漑と地下灌漑を同時に実施することもできる。
【図面の簡単な説明】
【図１】本発明に係る実施の形態の耕作地の用水給排水制御ユニットの縦断正面図である。
【図２】本発明に係る実施の形態の耕作地の用水給排水制御ユニットの縦断右側面図である。
【図３】本発明に係る実施の形態の耕作地の用水給排水制御ユニットの平面図である。
【図４】本発明に係る実施の形態の耕作地の用水給排水制御ユニットの平面図である。
【図５】本発明に係る実施の形態の耕作地の用水給排水制御ユニットを利用した用水制御システムのブロック図である。
【図６】本発明に係る耕作地の用水給排水制御ユニットの他の実施の形態の縦断正面図である。
【図７】（ａ）は図６に示す用水給排水制御ユニットの平面図、（ｂ）は図６のＡ−Ａ線要部断面図である。
【図８】図７（ａ）のＢ−Ｂ線に沿う用水弁を閉じた状態の断面図である。
【図９】図６の蛇腹管を縮めた状態の用水給排水制御ユニットの縦断正面図である。
【図１０】図６〜図９に示す用水給排水制御ユニットを利用した用水制御システムのブロック図である。
【図１１】従来の耕作地の用水給排水制御ユニットの縦断正面図である。
【図１２】従来の耕作地の用水給排水制御ユニットの側面図である。
【図１３】従来の耕作地の用水給排水制御ユニットの平面図である。
【符号の説明】
１  用水給排水制御ユニット、２  給排水枡、
２ａ  上部域、              ２ｂ  下部域、
３  給排水口、              ４  仕切板、
５  用水流入部、            ５ａ  用水流入管、
５ｂ  用水弁、              ５ｅ  用水口、
８  流入口、                １０  水位調整部、
１０ａ  水位調整管、        １４  流出口、
１５  用水給排水制御ユニット、
１６  耕作区、              １７  水源、
２３  河川、
３５  用水給排水制御ユニット、
３６  蛇腹管（水位調整管）、
３７  地下灌漑接続管、      ３８  止水バルブ、
３９  地下散水管、          ４０  水甲バルブ、
４１  排水管
【図１】
0004074460.tif 000002
【図２】
0004074460.tif 000003
【図３】
0004074460.tif 000004
【図４】
0004074460.tif 000005
【図５】
0004074460.tif 000006
【図６】
0004074460.tif 000007
【図７】
0004074460.tif 000008
【図８】
0004074460.tif 000009
【図９】
0004074460.tif 000010
【図１０】
0004074460.tif 000011
【図１１】
0004074460.tif 000012
【図１２】
0004074460.tif 000013
【図１３】
0004074460.tif 000014